(57)【要約】【課題】  受信側通信機器に返信メール受信のための特別な制御を必要とせず、返信メール受信者が引用部分と新たに入力した本文とを容易に判別できるようにできる通信機器を得る。【解決手段】  本文を含む電子メールを受信する受信部と、本文を含む電子メールを送信する送信部と、文字を入力する操作部と、この操作部から入力した文字と上記受信部の受信した電子メールの本文の少なくとも一部を引用した文字とを本文とする電子メールを生成する制御部とを備え、上記受信部の受信した電子メールの本文の引用した文字の文字表示の色が、上記操作部から入力した文字の文字表示の色と異なるようにした。【選択図】          図１
2007158763.tif 000002
【特許請求の範囲】
【請求項１】
本文を含む電子メールを受信する受信部と、
本文を含む電子メールを送信する送信部と、
文字を入力する操作部と、
この操作部から入力した文字と上記受信部の受信した電子メールの本文の少なくとも一部を引用した文字とを本文とする電子メールを生成する制御部とを備え、
上記受信部の受信した電子メールの本文の引用した文字の文字表示の色が、上記操作部から入力した文字の文字表示の色と異なる
ことを特徴とする通信機器。
【請求項２】
文字表示の色は、文字の色又は文字に対応する背景の色である
ことを特徴とする請求項１に記載の通信機器。
【請求項３】
制御部は受信部の受信した電子メールの本文の引用した文字又は操作部から入力した文字のいずれかの文字表示の色を指定する属性情報を、送信する電子メールの本文に付加する
ことを特徴とする請求項１に記載の通信機器。
【請求項４】
属性情報はＨＴＭＬを用いて記述される
ことを特徴とする請求項３に記載の通信機器。
【発明の詳細な説明】
【技術分野】
【０００１】
この発明は、電子メール送受信の可能な通信機器に関し、特に、受信した電子メールの本文を引用して返信することのできる通信機器に関する。
【背景技術】
【０００２】
従来技術として、受信した電子メールの一部を引用した電子メールを容易に生成できる携帯電話機がある（例えば、特許文献１参照）。
【０００３】
また、別の従来技術として、電子メール送信に際し引用メールに付加される引用符を省略することにより、メールサイズを縮小する携帯情報端末がある（例えば、特許文献２参照）。
【０００４】
【特許文献１】特開２００３−９２６１８号公報（第２−４頁、図２）
【０００５】
【特許文献２】特開２００２−３４２２３６号公報（第３−５頁、図１）
【発明の開示】
【発明が解決しようとする課題】
【０００６】
特許文献１においては、返信メール作成時に、引用する受信メールの本文各行の先頭に”＞”を挿入することで、使用者が新たに入力する本文と区別できるようにしている。しかし、返信メールを送信する通信機器と返信メールを受信する通信機器とで、一行に表示可能な文字数が異なる場合、送信側通信機器で行の先頭に表示されていた”＞”表示が、受信側通信機器では行の途中に表示されてしまうことがあり、返信メール受信者は引用部分と新たに入力された本文との判別が困難になるという問題点があった。
【０００７】
また、特許文献２においては、返信メール送信時に引用部分の先頭と最後尾に引用符省略情報を送信し、当該返信メール受信時に引用符号省略情報間の各行の先頭に”＞”を挿入することによって特許文献１で発生する問題点が解決されている。しかし、返信メール送信側の通信機器及び受信側の通信機器のいずれもが当該技術を搭載していなければならず、汎用性が低いという問題点があった。
【０００８】
この発明は、上記のような問題点を解消するためになされたもので、受信側通信機器に返信メール受信のための特別な制御を必要とせず、返信メール受信者が引用部分と新たに入力した文字情報とを容易に判別できるようにすることができる通信機器を得ることを目的とするものである。
【課題を解決するための手段】
【０００９】
この発明に係る通信機器は、本文を含む電子メールを受信する受信部と、本文を含む電子メールを送信する送信部と、文字を入力する操作部と、この操作部から入力した文字と上記受信部の受信した電子メールの本文の少なくとも一部を引用した文字とを本文とする電子メールを生成する制御部とを備え、上記受信部の受信した電子メールの本文の引用した文字の文字表示の色が、上記操作部から入力した文字の文字表示の色と異なるものである。
【発明の効果】
【００１０】
この発明に係る通信機器は、受信部の受信した電子メールの本文の引用した文字の文字表示の色が、操作部から入力した文字の文字表示の色と異なるようにしたので、受信側通信機器に返信メールのための特別な制御が組み込まれていなくても、返信メール受信者が受信メールの引用部分と新たに入力した文字情報とを容易に判別できるようにすることができる効果がある。
【発明を実施するための最良の形態】
【００１１】
実施の形態１．
図１は実施の形態１に係る通信機器としての携帯電話機のブロック構成図であり、図２は同携帯電話機の外観正面図である。図において、アンテナ１は、基地局から電波信号を受信し、また、送信部２から受け取った電波信号を基地局へ送信する。受信部３は、アンテナ１を介して受信した電波信号を携帯電話機で処理可能な受信信号に変換し、この変換した受信信号を制御部４に受け渡す。制御部４は、携帯電話機全体の制御を司るものであり、記憶部５のＲＯＭ（Ｒｅａｄ  ＯｎｌｙＭｅｍｏｒｙ）に記憶されているプログラム及びデータにしたがって動作する。記憶部５は、ＲＯＭの他に各種のデータを記憶するＲＡＭ（Ｒａｎｄｏｍ  Ａｃｃｅｓｓ  Ｍｅｍｏｒｙ）を有する。
【００１２】
制御部４に受信信号として音声着信信号が入力されると、制御部４は音声着信音をスピーカー６から出力し、音声着信中であることを、表示制御部４Ａを介して表示部７に表示させる。その後、使用者が操作部８を操作して着信に応答すると、発信側の通信機器との回線が接続されて通話が可能になる。
使用者がマイク９から通話音声を入力すると、マイク９は入力された通話音声を電気信号に変換し、制御部４に受け渡す。制御部４は受け取った電気信号を送信信号に変換し送信部２へ受け渡すと、送信部２は受け取った送信信号を所定の周波数の電波信号に変換し、この変換した電波信号はアンテナ１を介して基地局へ送信される。
【００１３】
また、制御部４に受信信号として文字情報、画像情報、又は音情報等を含む電子メール受信信号が入力されると、制御部４はメール着信音をスピーカー６から出力し、電子メールを受け取ったことを、表示制御部４Ａを介して表示部７に表示させるとともに、受信した電子メールを記憶部５に格納する。
使用者が操作部８を操作して電子メールを閲覧する指示を入力すると、電子メール制御部４Ｂは、記憶部５から電子メールを読み出し、表示制御部４Ａを介して表示部７に表示させる。また、電子メールに画像情報や音情報が添付されていれば、電子メール制御部４Ｂは、添付されている画像情報に基づいた画像を、表示制御部４Ａを介して表示部７に表示させ、添付されている音情報に基づいた音をスピーカー６から出力させることができる。
また、使用者が操作部８を操作して電子メールを作成する指示、電子メールの本文等の文字情報、及び作成した電子メールを送信する指示を入力すると、電子メール制御部４Ｂは作成された電子メールを送信信号に変換し送信部２へ受け渡す。送信部２は受け取った送信信号を所定の周波数の電波信号に変換し、アンテナ１を介して送信する。また、電子メール作成時に、使用者が操作部８を操作して記憶部５に格納されている画像情報や音情報を選択して、電子メールに画像情報や音情報を添付し、それらを添付した電子メールを送信することもできる。
【００１４】
次に、実施の形態１に係る携帯電話機において、受信した電子メールに対する返信メールを作成及び送信するときの動作を図３のフローチャートを用いて説明する。図４は、返信メール作成時に表示部７に表示される表示画面の例を示す図である。
【００１５】
まず、使用者が操作部８を操作して記憶部５に格納されている受信メールの中から閲覧する受信メールを指定すると、電子メール制御部４Ｂは指定された受信メールを記憶部５から読み出して、図４（ａ）のような受信メールを、表示制御部４Ａを介して表示部７に表示させる（ステップ３−１）。受信メールには、受信メールを受信した日時、受信メールを送信した送信者のアドレス情報、件名及び本文等を有しており、これらも表示される。
【００１６】
使用者が操作部８のメニューキー８Ａを操作すると（ステップ３−２）、電子メール制御部４Ｂは、表示制御部４Ａを介して図４（ｂ）のような受信メールメニューを表示部７に表示させる（ステップ３−３）。受信メールメニューは例えば、「１．返信」、「２．全引用返信」、「３．選択引用返信」、「４．削除」、「５．転送」、「６．コピー」、「７．保護」等のメニュー項目を有しており、使用者による選択が可能となっている。
【００１７】
続いて、使用者が操作部８のカーソルキー８Ｂを操作して選択したいメニュー項目を選択し、決定キー８Ｃを操作して選択するメニュー項目を決定し、選択したメニュー項目が「２．全引用返信」、「３．選択引用返信」のいずれかであった場合（ステップ３−４）、電子メール制御部４Ｂは図４（ｃ）のように、受信した電子メールの送信者のアドレスに対して返信する返信メール作成画面を、表示制御部４Ａを介して表示部７に表示させる（ステップ３−５）。このとき、受信メール本文の引用表示欄Ａの背景と、新たに入力する本文の文字表示欄Ｂの背景の色を異なる色とすることで、引用部分と新たに入力した文字情報の文字表示の色を表示させる。このとき引用表示欄Ａの背景色を指定する属性情報を、ＨＴＭＬ（Ｈｙｐｅｒ  Ｔｅｘｔ  Ｍａｒｋｕｐ  Ｌａｎｇｕａｇｅ）等のマークアップ言語により記述して返信メール本文に追記されるようにする。
その後、使用者が操作部８の数字・文字入力キー８Ｄを操作して返信メールの本文を入力すると、電子メール制御部４Ｂは図４（ｄ）のように本文表示欄Ｂに、使用者が新たに入力した文字情報を、表示制御部４Ａを介して表示部７に表示させる。
【００１８】
また、使用者が操作部８を操作して、この返信メールを送信する指示を入力すると、電子メール制御部４Ｂは、送信部２及びアンテナ１を介して、受信メール送信者のアドレスに対し返信メールを送信する。この返信メールの本文には、受信メールの引用部分のＨＴＭＬ情報も含まれているので、この返信メールを受信した通信機器がＨＴＭＬメールに対応していれば、返信メールを受け取った使用者も、受信メールの引用部分と新たに入力した文字情報との区別が容易になる。
【００１９】
また、ステップ３−４において、使用者が「２．全引用返信」の項目を選択した場合、電子メール制御部４Ｂは、受信メールの本文の文字情報全てを引用情報として用いて、送信する電子メールを作成する。
使用者が「３．選択引用返信」の項目を選択した後、使用者は操作部８のカーソルキー８Ｂを操作して受信メール本文の所望の位置にカーソルを移動させて受信メール本文の文字情報の一部を選択すると、電子メール制御部４Ｂは、選択された文字情報に対応するデータを一時記憶する。電子メール制御部４Ｂはこの一時記憶した文字情報に対応するデータを受信メールの引用情報として用いて、送信する電子メールを作成する。返信メール作成後、電子メール制御部４Ｂは、一時記憶した選択された文字情報を消去してもよいが、受信メールと対応付けて記憶部５に格納し、同一の受信メールを引用するときに、対応付けて記憶した選択した文字情報を容易に読み出せるようにしてもよい。
【００２０】
このように、返信メール作成時に、受信メールの引用部分の表示領域と新たに入力した文字情報の表示領域の背景色を変えるようにしたので、受信メールの引用部分の表示領域と新たに入力した文字情報の表示領域との区別が容易になり、視認性を向上させることができる。
【００２１】
上記実施の形態１では、文字表示の色として、引用部分の背景色を変えるようにしたが、新たに入力した文字情報の背景色を変えてもよく、また、引用部分の文字の色又は新たに入力した文字情報の文字の色を変えることにより、引用部分の文字情報と新たに入力した文字情報とを区別できるようにしてもよい。
【００２２】
また、上記実施の形態１では、受信メールを返信するときに受信メール本文の一部を引用する場合について説明したが、受信メールを他の通信機器に転送するときに受信メール本文の一部を引用する場合に使用してもよい。
【図面の簡単な説明】
【００２３】
【図１】実施の形態１に係る携帯電話機のブロック構成図である。
【図２】実施の形態１に係る携帯電話機の外観正面図である。
【図３】実施の形態１に係る携帯電話機の受信した電子メールに対する返信メールを作成及び送信するときの動作を示すフローチャートである。
【図４】実施の形態１に係る返信メール作成時に表示部に表示される表示画面の例を示す図である。
【符号の説明】
【００２４】
２  送信部
３  受信部
４  制御部
４Ａ  表示制御部
４Ｂ  電子メール制御部
５  記憶部
７  表示部
８  操作部
８Ａ  メニューキー
８Ｂ  カーソルキー
８Ｃ  決定キー
８Ｄ  数字・文字入力キー
【図１】
2007158763.tif 000003
【図２】
2007158763.tif 000004
【図３】
2007158763.tif 000005
【図４】
2007158763.tif 000006